(57)【要約】【課題】  ネットワークを介し画像処理装置（ＭＦＰ機）の蓄積画像を利用する情報処理装置（ＰＣ）の要求に従って行う、プリント出力等の出力処理、特に編集処理を施した画像をプリント出力する際の画像処理を、画質低下を生じることなく、効率的に行う。【解決手段】  画像処理装置１００でスキャナ入力パスを通し、記憶媒体１３に蓄積された画像データを、クライアントＰＣ２００の要求により読み出して、ディスプレイ２７ｄに表示させて、クライアントＰＣのアプリで編集、画質調整等の処理を画像に施した後、編集処理後の画像データは送信しないで、編集情報だけを画像処理装置１００に送信することで、ネットワークの負荷を小さくする。編集情報を受け取る画像処理装置１００では、第３画像処理ユニット１４で元の蓄積画像に編集情報を用いて編集処理を行い、編集後の画像を得、プリント出力等の画像出力に用いる。【選択図】          図１
2006087006.tif 000002
【特許請求の範囲】
【請求項１】
原稿画像を入力する画像入力手段と、可変の設定条件に従って、入力された原稿画像に画像処理を施す第1の画像処理手段と、第1の画像処理手段を通した画像の蓄積を可能とした画像蓄積手段と、可変の設定条件に従って、前記画像蓄積手段の蓄積画像に印刷出力用データとしての処理を施す第２の画像処理手段と、ネットワークを介して外部情報処理装置とデータの送受信を可能とするネットワークインターフェースと、可変の設定条件に従って、前記ネットワークインターフェースを介して出力する前記蓄積画像及び該ネットワークインターフェースを介して入力した画像に、処理を施す第３の画像処理手段を有する画像処理装置であって、前記第３の画像処理手段が、外部情報処理装置から入力した、前記蓄積画像に対する編集情報によって、該蓄積画像に編集処理を施す手段を備えたことを特徴とする画像処理装置。
【請求項２】
請求項１に記載された画像処理装置において、前記第３の画像処理手段が、蓄積画像の編集処理として、外部情報処理装置から入力した画像との合成を行う手段であることを特徴とする画像処理装置。
【請求項３】
請求項１又は２に記載された画像処理装置において、前記蓄積手段が、編集処理後の画像及び該画像の編集情報に付属する操作者情報、日付情報を付加し、蓄積する手段であることを特徴とする画像処理装置。
【請求項４】
請求項1乃至３のいずれかに記載された画像処理装置において、編集権限の与えられた操作者を、編集情報に付属する操作者情報によりチェックする手段と、編集権限の与えられてない操作者をチェックしたときに、編集を禁止する手段を備えたことを特徴とする画像処理装置。
【請求項５】
請求項１乃至４のいずれかに記載された画像処理装置と、該画像処理装置にネットワークインターフェースを介して接続された情報処理装置よりなる画像処理システムであり、前記情報処理装置が、前記画像処理装置のクライアントとして、該画像処理装置から得た画像に対する編集処理を行う手段を備えた装置であることを特徴とする画像処理システム。
【請求項６】
原稿画像をＲＧＢで入力する画像入力手段と、可変の設定条件に従って、入力された原稿画像に画像処理を施す第1の画像処理手段と、第1の画像処理手段を通した画像の蓄積を可能とした画像蓄積手段と、前記画像蓄積手段の蓄積画像にＲＧＢからＣＭＹＫへの色空間の変換を施す第２の画像処理手段と、前記第２の画像処理手段を通した画像に印刷出力用データとしての処理を施す第３の画像処理手段と、印刷出力用データを基に印刷を行う印刷手段と、ネットワークを介して外部情報処理装置とデータの送受信を可能とするネットワークインターフェースを有する画像処理装置であって、前記ネットワークインターフェースを介して前記第２の画像処理手段を通した画像の出力を行う画像出力手段と、前記ネットワークインターフェースを介して外部情報処理装置から印刷出力用データを入力する画像入力手段を備えたことを特徴とする画像処理装置。
【請求項７】
請求項６に記載された画像処理装置と、該画像処理装置にネットワークインターフェースを介して接続された情報処理装置よりなる画像処理システムであり、前記情報処理装置が、前記画像処理装置のクライアントとして、該画像処理装置から得た画像に対する画像処理手段を備え、該画像処理手段にＣＭＹＫからＲＧＢへの色空間の変換を施す手段、及び前記画像処理装置の印刷手段に用いる印刷出力用データとしての処理を施す手段を有したことを特徴とする画像処理システム。
【請求項８】
請求項７に記載された画像処理システムにおいて、前記情報処理装置に備えた画像処理手段の色空間の変換が、ＣＭＹＫからｓＲＧＢへの色空間の変換であることを特徴とする画像処理システム。
【請求項９】
請求項７に記載された画像処理システムにおいて、前記情報処理装置に備えた画像処理手段によるＣＭＹＫからＲＧＢへの色空間の変換が、該情報処理装置に具備するディスプレイ固有のＲＧＢへの色空間の変換であることを特徴とする画像処理システム。
【請求項１０】
請求項６乃至９のいずれかに記載された画像処理システムにおいて、前記情報処理装置に備えた画像処理手段が、前記画像処理装置から得た画像に対する編集処理を行う手段を付加した手段であることを特徴とする画像処理システム。
【発明の詳細な説明】
【技術分野】
【０００１】
本発明は、配信機能を備えた、例えば、ＭＦＰ（コピー機能、ファクシミリ機能、スキャナ機能等の多機能を複合させた）カラー複写機のように、スキャナ入力され、蓄積された画像データをもとにプリント出力を行うほか、ＰＣ等の外部情報処理装置へ配信するために、画像に所定の色空間への変換を施すようにした画像処理装置に関し、特に、蓄積画像を利用するクライアントＰＣ等で行う画像の編集処理をサポートするための手段を備えた画像処理装置及び画像処理装置とＰＣ等の外部情報処理装置よりなる画像処理システムに関する。
【背景技術】
【０００２】
近年、デジタル複写機となって、コピー機能のほかに、スキャナ，プリンタ，ファクシミリ等の機能を複合して持つＭＦＰ機が一般化しつつあり、これらの機能を支えるネットワーク技術によって、スキャナ部で読み取った画像データをネットワークに接続されたコンピュータ等の他の情報機器と送受信させる、ネットワーク配信・キャプチャ機能も搭載されている。
また、このような画像データをデーターベースとなる記憶媒体に蓄積する技術、蓄積された画像データの利用時にデータを編集・加工する技術、蓄積された画像データを種々の利用先の機器に出力する技術など、関連する技術分野も広がってきている。
このような技術を用いて、ネットワーク接続した機器間で共有する蓄積画像を利用するシステムを構成する従来技術として、例えば下記特許文献１〜３を示すことができる。
特許文献１は、画像入力装置、画像印刷装置を持つクライアントシステムに画像表示用ディスプレイを設け、クライアントシステムで行われるレイアウト操作に従って、ネットワーク接続したサーバが、クライアントシステムの入力画像とサーバの蓄積画像とを用いて画像の編集を行い、編集後の画像をサーバからクライアントシステムに配布し、印刷等の出力に用いる、としている。
また、特許文献２は、ネットワークで送信するための画像処理と印刷するための画像処理とをそれぞれ行って、得た画像データを蓄積して、後に画像送信するときには改めて送信用の画像処理を行わないようにして、送信時のタイムロスをなくすものである。
また、特許文献３は、ＭＦＰ機において、機内で行うプリント出力にとって都合の良いＣＭＹＫデータとしてＨＤＤに蓄積した画像を、配信の際に、配信先の要求に従って、解像度、色空間(ｓＲＧＢ等の標準色空間)及びファイル形式（ＪＰＥＧやＴＩＦＦ等の汎用のファイル形式）に変換することにより、ネットワークを介して蓄積画像を利用するＰＣ等の外部機器で不都合が生じない様にしている。
【特許文献１】特開２００２−２４４８２７号公報
【特許文献２】特開２００２−２７１５９４号公報
【特許文献３】特開２００４−１５９０３５号公報
【発明の開示】
【発明が解決しようとする課題】
【０００３】
ところで、ネットワーク接続されたＭＦＰカラー機の蓄積画像の利用を可能にしたシステムでは、ＭＦＰカラー機の蓄積画像をネットワーク上のＰＣ等で閲覧し、この画像に編集処理を施し、編集結果として得られた画像をＰＣからＭＦＰカラー機に戻し、再度印刷を行いたいという要求がある。
しかしながら、この場合に、次の１．〜４．に示すような問題が生じることが考えられる。
１．ＰＣから編集結果として得られた画像をＭＦＰカラー機に送信して、印刷するのでは、ネットワーク負荷が増大し、印刷に時間がかかる。
２．ＭＦＰカラー機内部にＣＭＹＫのような機器固有の形式で画像データが蓄積されている場合、その画像データをＰＣに転送した後、閲覧するためにＰＣのディスプレイに画像を表示しようとしても、プリント出力用のＣＭＹＫそのままでは、適正な出力できない。
３．ディスプレイの表示とプリント出力の一致性、即ち、プリント出力に表れる画質（色、解像度等）とディスプレイで表示される画質の一致性が確保できない。
４．ＰＣ上の画像データは、アプリケーションツールによって、ディスプレイの表示を見ながら編集作業が行われるが、この編集結果をプリント出力用のＣＭＹＫに反映させる仕組みが、存在しない。
【０００４】
なお、上記特許文献１は、クライアントシステム（カラー複写機）とネットワーク接続されているのは、編集処理や画像蓄積機能を持つサーバであり、ネットワーク上の機器（ＰＣ）からの要求によりクライアントシステム（カラー複写機）を動作させるシステムではなく、画像データの編集を行い印刷するといった場合は、ユーザは、わざわざ複写機のある場所まで行って編集操作をする必要があり、手間がかかる。
また、上記特許文献２，３は、ＭＦＰカラー機の蓄積画像をネットワーク上のＰＣ等で閲覧し、この画像に編集処理を施し、編集結果として得られる画像をＰＣからＭＦＰカラー機に戻し、再度印刷を行う、というシステムの認識がなく、上記１．及び４．の解決手段を提供するものではない。
本発明は、ＭＦＰカラー複写機のように、スキャナ入力され、蓄積された画像データをもとにプリント出力を行うほか、ＰＣ等の外部情報処理装置への配信を可能にした画像処理装置と、該画像処理装置の蓄積画像を利用するＰＣ等の外部情報処理装置とをネットワーク接続して構成するシステムにおける上述の従来技術の問題に鑑み、これを解決するためになされたもので、その解決課題は、ネットワークを介して画像処理装置（ＭＦＰカラー複写機等）の蓄積画像を利用する、ＰＣ等の外部情報処理装置からの要求に従って行う、プリント出力等の出力処理、特に、画像に編集処理を施し、編集結果として得られる画像をプリント出力する際の画像処理を、画質の低下を生じることなく、効率的に行うことを可能にすることにある。
【課題を解決するための手段】
【０００５】
請求項１の発明は、原稿画像を入力する画像入力手段と、可変の設定条件に従って、入力された原稿画像に画像処理を施す第1の画像処理手段と、第1の画像処理手段を通した画像の蓄積を可能とした画像蓄積手段と、可変の設定条件に従って、前記画像蓄積手段の蓄積画像に印刷出力用データとしての処理を施す第２の画像処理手段と、ネットワークを介して外部情報処理装置とデータの送受信を可能とするネットワークインターフェースと、可変の設定条件に従って、前記ネットワークインターフェースを介して出力する前記蓄積画像及び該ネットワークインターフェースを介して入力した画像に、処理を施す第３の画像処理手段を有する画像処理装置であって、前記第３の画像処理手段が、外部情報処理装置から入力した、前記蓄積画像に対する編集情報によって、該蓄積画像に編集処理を施す手段を備えた画像処理装置により、課題の解決を図る。
請求項２の発明は、請求項１に記載された画像処理装置において、前記第３の画像処理手段が、蓄積画像の編集処理として、外部情報処理装置から入力した画像との合成を行う手段であることを特徴とするものである。
【０００６】
請求項３の発明は、請求項１又は２に記載された画像処理装置において、前記蓄積手段が、編集処理後の画像及び該画像の編集情報に付属する操作者情報、日付情報を付加し、蓄積する手段であることを特徴とするものである。
請求項４の発明は、請求項1乃至３のいずれかに記載された画像処理装置において、編集権限の与えられた操作者を、編集情報に付属する操作者情報によりチェックする手段と、編集権限の与えられてない操作者をチェックしたときに、編集を禁止する手段を備えたことを特徴とするものである。
【０００７】
請求項５の発明は、請求項１乃至４のいずれかに記載された画像処理装置と、該画像処理装置にネットワークインターフェースを介して接続された情報処理装置よりなる画像処理システムであり、前記情報処理装置が、前記画像処理装置のクライアントとして、該画像処理装置から得た画像に対する編集処理を行う手段を備えた装置であることを特徴とするシステムである。
【０００８】
請求項６の発明は、原稿画像をＲＧＢで入力する画像入力手段と、可変の設定条件に従って、入力された原稿画像に画像処理を施す第1の画像処理手段と、第1の画像処理手段を通した画像の蓄積を可能とした画像蓄積手段と、前記画像蓄積手段の蓄積画像にＲＧＢからＣＭＹＫへの色空間の変換を施す第２の画像処理手段と、前記第２の画像処理手段を通した画像に印刷出力用データとしての処理を施す第３の画像処理手段と、印刷出力用データを基に印刷を行う印刷手段と、ネットワークを介して外部情報処理装置とデータの送受信を可能とするネットワークインターフェースを有する画像処理装置であって、前記ネットワークインターフェースを介して前記第２の画像処理手段を通した画像の出力を行う画像出力手段と、前記ネットワークインターフェースを介して外部情報処理装置から印刷出力用データを入力する画像入力手段を備えた画像処理装置により、課題の解決を図る。
【０００９】
請求項７の発明は、請求項６に記載された画像処理装置と、該画像処理装置にネットワークインターフェースを介して接続された情報処理装置よりなる画像処理システムであり、前記情報処理装置が、前記画像処理装置のクライアントとして、該画像処理装置から得た画像に対する画像処理手段を備え、該画像処理手段にＣＭＹＫからＲＧＢへの色空間の変換を施す手段、及び前記画像処理装置の印刷手段に用いる印刷出力用データとしての処理を施す手段を有したことを特徴とするシステムである。
請求項８の発明は、請求項７に記載された画像処理システムにおいて、前記情報処理装置に備えた画像処理手段の色空間の変換が、ＣＭＹＫからｓＲＧＢへの色空間の変換であることを特徴とするシステムである。
請求項９の発明は、請求項７に記載された画像処理システムにおいて、前記情報処理装置に備えた画像処理手段によるＣＭＹＫからＲＧＢへの色空間の変換が、該情報処理装置に具備するディスプレイ固有のＲＧＢへの色空間の変換であることを特徴とするシステムである。
【００１０】
請求項１０の発明は、請求項６乃至９のいずれかに記載された画像処理システムにおいて、前記情報処理装置に備えた画像処理手段が、前記画像処理装置から得た画像に対する編集処理を行う手段を付加した手段であることを特徴とするシステムである。
【発明の効果】
【００１１】
請求項１〜５の発明によると、ネットワークを介して接続された外部情報処理装置（例えばクライアントＰＣ）に画像処理装置（例えばＭＦＰ機）に蓄積された画像データを読み出して、ディスプレイに表示させて編集（合成）処理をした後、処理結果として、編集情報だけを画像処理装置に送信する（即ち、編集を施した画像データは送信しない）ことで、ネットワークに負荷をかけることなく、外部情報処理装置からユーザの意に沿う画像の編集（合成）、画質調整等の処理を画像に施し、編集処理等を施した画像のプリント出力等の画像出力を行うことが可能になる。
しかも、外部情報処理装置から編集処理を求めた操作者のＩＤ、操作した日付を編集情報に付加し、記憶しておくので、編集権限の与えられてない操作者をチェックし、不正に編集した場合の操作者を特定し、編集の禁止といった不正に対応した処置をとることが可能になる（請求項３，４）。
【００１２】
請求項６〜１０の発明によると、ネットワークを介して接続された情報処理装置（例えばクライアントＰＣ）に画像処理装置（例えばＭＦＰカラー機）に蓄積された画像データを読み出して、ディスプレイに表示させて画像を確認する場合、その画像データのディスプレイ表示を、プロッタでの出力イメージにすることで、ユーザがプロット出力イメージを見ながら、画像の確認を行うことが可能となる。また、ディスプレイで画像を確認した後、この画像を画像処理装置のプロッタで出力させる場合も、該プロッタに用いる印刷出力用データとしての処理を情報処理装置（例えばクライアントＰＣ）側で行うようにしたので、画像処理装置側は、基本的なスキャナ動作とプロッタ動作以外の機能を具備しなくても、蓄積画像に対する編集処理（請求項１０）といった機能拡張が可能となる。
しかも、情報処理装置（例えばクライアントＰＣ）に接続されているディスプレイがｓＲＧＢに対応している場合、或いは固有のＲＧＢ空間を持っている場合に、それぞれに応じた色空間への変換を行うことにより、プロットイメージにより忠実な画像を表示することが可能となる（請求項８，９）。
【発明を実施するための最良の形態】
【００１３】
以下に、本発明の画像処理装置及び画像処理システムに係わる実施形態を示す。
なお、以下に示す実施形態は、いずれも、スキャナ入力され、蓄積された画像データをもとにプリント出力を行うほか、ＰＣ等の情報処理装置への配信を可能にした画像処理装置（例えば、ＭＦＰカラー複写機等）と、該画像処理装置の蓄積画像を利用するＰＣ等の情報処理装置とをネットワーク接続して構成するシステムにおいて、蓄積画像を利用する、ＰＣ等の情報処理装置からのユーザの要求に従って、画像に編集処理を施し、編集結果として得られる画像を用いてプリント出力等の画像出力処理をシステム上で行うことを可能とする。
下記では「実施形態１」〜「実施形態６」として分説するが、大きくは２つに分けることができ、「実施形態１」〜「実施形態３」は、画像処理装置（ＭＦＰ機）に蓄積された画像を情報処理装置（ＰＣ）から読み出して、画像に編集（合成）処理をした後、編集情報だけを処理結果としてＭＦＰ機に送信するようにした点を特徴とする。
また、もう一方の「実施形態４」〜「実施形態６」は、画像処理装置（ＭＦＰカラー機）に蓄積された画像を情報処理装置（ＰＣ）から読み出して、ディスプレイ表示をする場合にプロッタでの出力イメージにし、又ディスプレイで画像を確認した後、この画像をＭＦＰカラー機のプロッタで出力させる場合も、該プロッタに用いる印刷出力用データとしての処理をＰＣ側で行うようにした点を特徴とする。
【００１４】
「実施形態１」
以下に示す「実施形態１」〜「実施形態３」では、コピー機能、スキャナ配信機能及び蓄積画像データの配信機能等の機能を搭載したデジタルカラー複写機（ＭＦＰ機）を、画像処理装置とし、これにネットワーク接続したＰＣを、ＭＦＰ機の蓄積画像を利用する情報処理装置として画像処理システムを構成する。また、この画像処理システムでは、ＰＣ（クライアントＰＣ）の要求に従い、ＭＦＰ機内のＨＤＤ等の記憶媒体に蓄積された画像に編集・加工処理を施し、編集結果として得られる画像を用いてＭＦＰ機でプリント出力を行う、という処理機能をシステム上で実現可能とする。
本実施形態は、上記の機能を利用する際に、クライアントＰＣに蓄積画像データを読み出して、ディスプレイに表示させて、編集、画質調整等の処理を画像に施した後、この処理結果として、編集情報だけをＭＦＰ機に送信する（即ち、編集処理が施された後の画像データは送信しない）ことで、ネットワークに負荷をかけることなく、処理後の画像を用いたプリント出力等の画像出力を行うようにした点に特徴を有する。
【００１５】
図１は、画像処理装置としてのＭＦＰ機とクライアントＰＣよりなる本実施形態の画像処理システムの構成を概略的に示すブロック図である。
先ず、図１を参照して、システムを構成する画像処理装置（ＭＦＰ機）１００の各部の構成及び原稿をコピーする際の処理、即ち、原稿画像の読み取り、読み取り画像の蓄積、蓄積画像を用いたプリント出力、という過程で行なわれるコピー時の処理フローに沿い、その内容の概要を説明する。
ＭＦＰ機１００のスキャナユニット１１は、ユニット内の光学系スキャナ装置によって、原稿を読み取り、画像データとして入力され、入力された画像データは、第１画像処理ユニット１２に転送される。
第１画像処理ユニット１２は、入力画像データに、画像特性を適正化するための各種の補正やユーザーの要求に従い処理・変換を施し、所定の形式の画像データに変換して、ＨＤＤ等の記憶媒体１３に蓄積する。
記憶媒体１３に蓄積された画像をプリント出力用のデータとして出力するときには、第２画像処理ユニット１６を通す。第２画像処理ユニット１６は、記憶媒体１３に蓄積された画像データから印刷出力すべきデータを読み出して、プロッタの出力ダイナミックレンジに合わせた量子化を施し、プリンタγ処理、中間調処理を施した後、プロッタユニット１８へ転送する。
プロッタユニット１８は、電子写真式のプロッタの場合、第２画像処理ユニット１６から送られてくる画像データ出力を、レーザーによる書き込みを行うため、ＬＤ（レーザダイオード）駆動用データに変換し、次いでＬＤ書き込みによる潜像の形成、現像、転写、定着を経て、画像データが転写紙に出力される。
上記の処理過程を経て、ＭＦＰ機１００はコピー動作を実現する。なお、プロッタユニット１８から画像データが出力された後も、記憶媒体１３上に蓄積された画像データはそこに保存されており、この画像データをコピー動作以外に、後述するように、ネットワーク間で共有するデータとしてクライアントＰＣ２００からの利用を可能とする。
【００１６】
次に、本画像処理システムが持つ処理機能である、画像処理装置（ＭＦＰ機）１００の記憶媒体１３に蓄積されている画像データに対する編集機能の処理フローについて説明する。ここでは、ＭＦＰ機１００からクライアントＰＣ２００への画像の配信 → ＰＣ２００における編集処理 → 編集結果としての編集情報のＭＦＰ機１００への転送 → ＭＦＰ機１００における、編集情報を用いた編集処理 → 編集の施された画像の取得、という処理過程を踏む。
この処理過程について、図１を参照して、より詳しく述べると、先ず、ユーザの指示に従い、ＭＦＰ機１００の第３画像処理ユニット１４は、記憶媒体１３に蓄積されている画像データを読み出し、ネットワークＩ／Ｆ１９，２９を介してクライアントＰＣ２００に転送する。この場合のユーザによる動作要求の指示は、クライアントＰＣ２００、若しくはＭＦＰ機１００の操作部（図示せず）から行われる。
ＭＦＰ機１００から転送されてくる画像データを受信するクライアントＰＣ２００は、受信した画像データをクライアントＰＣ内部の記憶媒体２３に蓄積する。
次に、クライアントＰＣ２００の記憶媒体２３に蓄積された画像データは、アプリケーションソフト２５内の色変換処理ソフト２５ｃにて、ＭＦＰ機１００内部の色空間からディスプレイ２７ｄの色空間へ変換される。この色空間の変換は、ＭＦＰ機１００でスキャナ入力した原稿画像の色をディスプレイ２７ｄで適正な色で再現するために必要な処理である。この色変換を施した画像データを用いて、ディスプレイ２７ｄに表示された画像を見ることにより、ユーザは、要求した画像であることを確認することが可能となる。
【００１７】
さらに、ディスプレイ上で確認した画像データに対して何らかの編集処理を行いたい場合は、アプリケーションソフト２５内の編集処理ソフト２５ａを起動させる。編集処理ソフト２５ａは、ユーザの指示する設定条件に従って、ディスプレイ上に表示した対象画像に編集処理を施す。編集処理の済んだ画像は、再び記憶媒体２３に記憶、蓄積される。その際に、色変換処理ソフト２５ｃを介して編集処理後の画像データを変換し、ディスプレイ２７ｄに表示することによって、ユーザが編集処理結果を確認できる。
ユーザが、編集した画像をＭＦＰ機１００で印刷させるか、もしくはＭＦＰ機１００内の記憶媒体１３に記憶させる場合は、クライアントＰＣ２００の記憶媒体２３にある編集済みの画像データではなく、編集情報、即ち編集内容の情報のみを、ＭＦＰ機１００に送信する。
ＭＦＰ機１００は、編集処理の施された画像データではなく、編集情報のみを編集結果として、印刷出力或いは蓄積を要求して送信されてくるクライアントＰＣ２００からのコマンドを受け取ると、第３画像処理ユニット１４で、受信した編集情報に示された編集内容によって、ＭＦＰ機１００内の記憶媒体１３に蓄積されている編集処理の対象となった画像のオリジナル画像（即ち、クライアントＰＣ２００に配信した元の画像）に対して編集処理を施す。
この後、ＭＦＰ機１００内で編集処理を施した画像データを再度、機内内の記憶媒体１３に記憶、蓄積させ、プリント出力、配信出力等の利用に供される。
上記のように、ＭＦＰ機１００の記憶媒体１３に蓄積されている画像データは、ネットワークを介して接続されているクライアントＰＣ２００に転送され、クライアントＰＣ２００上で編集処理し、得られる編集情報だけをＭＦＰ機１００に送信することで、クライアントＰＣ２００のディスプレイ上で見ている画像データに対応するＭＦＰ機１００内の記憶媒体１３に蓄積された画像データに対してネットワークを介して編集処理を施すことを可能とする。つまり、ネットワークに負荷をかけることなく、クライアントＰＣ２００からユーザの意に沿う画像の編集、画質調整等の処理をＭＦＰ機１００の蓄積画像に施し、編集処理等を施した画像のプリント出力等の画像出力を行うことを可能にする。
【００１８】
ここで、上記画像処理システムを構成するＭＦＰ機１００内の第１、第２及び第３画像処理ユニットについて、その実施例を示す。
図２は、第１画像処理ユニット１２の内部構成の１例を示す。
図２に示す第１画像処理ユニット１２では、スキャナユニット１１で読み取られたＲＧＢ（Ｒ：Red、Ｇ：Green、Ｂ：Blue）に色分解された画像信号に対して、空間フィルタ処理１２ｆが行われる。空間フィルタ処理１２ｆは、用途によって固定係数フィルタの場合もあれば、画像種に適応して係数を変化させる適応フィルタの場合もある。
また、色変換処理１２ｃではフィルタ処理後のＲＧＢ信号からＣＭＹＫ（Ｃ：Cyan、Ｍ：Magenta、Ｙ：Yellow、Ｋ：Black）信号への色変換が行われる。ＲＧＢからＣＭＹＫへの変換は、コピー処理（プロッタ出力）にとって、都合のよいデータとする、という考え方によるものである。
この色変換処理は、ＬＵＴ（Look Up Table）を使っても行えるし、行列演算によるマスキング法によっても行える。このような処理を行うことによって、ＭＦＰ機１００の記憶媒体１３には、フィルタ・色変換後の画像データが蓄積される。
図３は、第２画像処理ユニット１６の内部構成の１例を示す。
図３に示す第２画像処理ユニット１２では、プリンタγ補正処理１６ｇと中間調処理１６ｈが行われる。プリンタγ補正処理１６ｇによってＣＭＹＫ各色毎に、濃度のばらつき、機器全体の経時的な濃度の補正などが行われる。
また、中間調処理１６ｈでは、印刷出力するプリンタに合わせて、１ドットあたりの階調数を落として階調表現をおこなう。この処理方法には、公知のディザ法や誤差拡散法を適用することが可能である。
【００１９】
図４は、第３画像処理ユニット１４の内部構成の１例を示す。
図４の（Ａ）及び（Ｂ）に示すように、第３画像処理ユニット１４は、パスに応じて画像に異なる処理を施す手段としての機能を持つ。
一つの機能は、蓄積画像をネットワークに送信するときに、送信パスで蓄積画像に施す、解像度変換１４ｄと圧縮処理１４ｃ（図４（Ａ）参照）を手段とする機能である。解像度変換１４ｄを行う理由は、クライアントＰＣ２００側で用いる画像の解像度が用途等によって異なるので、ＰＣ側が求める条件に合わせて転送するデータ量を小さくすることが望まれるからである。また、圧縮処理１４ｃも、データ量を減らしデータの転送時間を短くし、転送量を小さくするために行われる。
もう一つの機能は、上記した編集処理をサポートする機能で、ネットワークを介してクライアントＰＣ２００から受信した編集情報に基づいて、ＭＦＰ機１００側で、画像の編集を行う処理パスにおける、画像編集処理１４ａ（図４（Ｂ）参照）をその手段とする機能である。従って、画像編集処理１４ａは、ネットワークＩ／Ｆ１９からの編集情報と記憶媒体１３からの編集対象となった元のＣＭＹＫ画像データを入力し、編集処理を行った後のＣＭＹＫ画像データを、記憶媒体１３に蓄積するための出力を行う。
また、上記した第３画像処理ユニット１４が持つ機能を実現する手段として、ハードウェア構成によってもよいが、画像編集処理を含めた画像処理動作をプログラムによるソフトウェア構成によって実現してもよい。
【００２０】
「実施形態２」
本実施形態は、上記「実施形態１」に示した画像処理システムをベースに、編集処理として、クライアントＰＣ２００から入力した画像との合成を行うことを特徴とするシステムを示すものである。
図５は、画像処理装置としてのＭＦＰ機とクライアントＰＣよりなる本実施形態の画像処理システムの構成を概略的に示すブロック図である。
図５に示す画像処理システムの構成は、編集処理として、クライアントＰＣ２００から入力した画像との合成を行うこと以外、基本的に図１に示したシステムと変わりがないので、本実施形態が特徴とする画像合成に関する部分のみ、説明を行い、基本部分は、先の「実施形態１」の説明を参照することにして、ここでは、記載を省略する。
【００２１】
クライアントＰＣ２００で編集処理として行う画像の合成処理は、アプリケーションソフト２５内の編集処理ソフト２５ａを用いて、図６に示すように、ディスプレイ２７ｄに表示した画像データＤｉに、合成したい画像データＳｉの“画像Ａ”を合成する、という処理を例示することができる。なお、本実施形態では、合成に用いる画像データＳｉの“画像Ａ”は、クライアントＰＣ２００内の記憶媒体２３に格納されているデータが利用可能である。また、ディスプレイ２７ｄに表示した画像データＤｉは、上記「実施形態１」におけると同様に、ＭＦＰ機１００から蓄積画像が配信され、記憶媒体２３に格納されたデータである。
編集処理ソフト２５ａを用いた合成操作は、図６に示すように、画像データＤｉに対して、合成する“画像Ａ”の位置を画像データＤｉの基準点からの座標（ｘ，ｙ）という形式で決定することが可能である。従って、画像合成による編集処理を行ったときの編集情報には、合成に用いる画像データＳｉ（“画像Ａ”）と、合成位置情報（この場合、（ｘ，ｙ）座標）が含まれる。
従って，合成した画像データを印刷したいときには、“画像Ａ”と合成位置情報（この場合は（ｘ，ｙ）、の座標）を編集情報として示した印刷出力要求をＭＦＰ機１００に送信する。但し、合成する画像（“画像Ａ”）をＭＦＰ機１００に送信する際には、アプリケーションソフト２５の色変換処理ソフト２５ｃを用いてディスプレイ２７ｄの色空間からＭＦＰ機１００内部の色空間に変換を施した画像を送信する必要がある。このような変換を施すことで、ディスプレイ２７ｄで見ている、合成する画像（“画像Ａ”）をＭＦＰ機１００内の記憶媒体１３にある元の画像データと同じ色空間で合成することが可能となる。
【００２２】
上記のように、クライアントＰＣ２００で、画像の合成処理が編集処理として行われるので、この結果に応じた動作を求められるＭＦＰ機１００においても、対応する手段が必要になる。
図７は、第３画像処理ユニット１４の内部構成の１例を示す。
図７の（Ａ）及び（Ｂ）に示すように、第３画像処理ユニット１４は、パスに応じて画像に異なる処理を施す手段としての機能を持つという点で、上記「実施形態１」と同様である。ただし、本例では、（Ｂ）に示す画像編集処理１４ａ′を合成処理がサポートできる手段とした点で異なる。
即ち、画像編集処理１４ａ′においては、ＭＦＰ機１００内の記憶媒体１３にある編集対象となった元の画像データ、クライアントＰＣ２００から受信した合成する画像及び編集情報（位置情報）から画像合成を行い記憶媒体１３に記憶する処理機能を持つ。従って、図７に示すように、画像編集処理１４ａ′は、ネットワークＩ／Ｆ１９からの編集情報，合成するＣＭＹＫ画像データと、記憶媒体１３からの編集対象となった元のＣＭＹＫ画像データを入力し、編集処理としてを行った画像合成後のＣＭＹＫ画像データを、記憶媒体１３に蓄積するための出力を行う。
また、本例でも、上記した第３画像処理ユニット１４が持つ機能を実現する手段として、ハードウェア構成によってもよいが、画像編集処理を含めた画像処理動作をプログラムによるソフトウェア構成によって実現してもよい。
【００２３】
「実施形態３」
本実施形態は、上記「実施形態１」又は「実施形態２」に示した画像処理システムをベースに、クライアントＰＣ２００から編集処理を求めた操作者をチェックし、不正に編集した場合に対応した処置をとることを可能とした実施形態を示す。
編集処理を求めた操作者をチェックする方法は、クライアントＰＣ２００で編集処理を行う場合、アプリケーションソフト２５が、編集要求時に操作者によって、編集する人（操作者）のＩＤナンバー、日付等の情報を入力することを条件に、画像処理システムによる編集処理及び編集後の画像データを用いたプリント出力要求を受け付けるというシステム構成をとることにより、実施することが可能である。
編集要求時に操作者によって入力された、操作者のＩＤナンバー、日付等の情報は、ＭＦＰ機１００に対してプリント出力要求を行うときに、クライアントＰＣ２００における編集処理の結果として得られる、編集情報に付属させて、クライアントＰＣ２００からＭＦＰ機１００に送信される。
【００２４】
上記「実施形態２」に示した画像処理システム（図５）を例にとると、クライアントＰＣ２００からＭＦＰ機１００に、蓄積画像に対する編集処理を伴ったプリント出力要求画出されると、この要求を受け取るＭＦＰ機１００は、図７（Ｂ）に示すように、第３画像処理ユニット１４の画像編集処理１４ａ′で、編集処理に必要な、合成する画像及び編集情報に加え、編集者情報の入力を受ける。第３画像処理ユニット１４では、編集情報や合成する画像データによって、合成画像の編集を行うと同時に、編集情報に付属する編集者（操作者）情報、日付等を編集後の合成画像に付加して記憶媒体１３に記憶しておく。その後、プリント出力を行う際に、予め用意してある編集権限を持つＩＤナンバーの一覧によって、記憶した編集者（操作者）情報をチェックする、即ち、編集権限を持つＩＤナンバーと比較し、ナンバーの一致・不一致により権限の有無を判断する、ことにより、編集権限を持たない操作者のプリント出力を禁止するといった処置をとることが可能になる。
また、他の対応として、第３画像処理ユニット１４で編集処理を行う際に編集者（操作者）情報を上記と同様の方法でチェックすることにより、編集権限のないＩＤナンバーの人からの編集要求については、編集を禁止するという処置をとることができるようにしても良い。
【００２５】
「実施形態４」
以下に示す「実施形態４」〜「実施形態６」では、コピー機能、スキャナ配信機能及び蓄積画像データの配信機能等の機能を搭載したデジタルカラー複写機（ＭＦＰ機）を、画像処理装置とし、これにネットワーク接続したＰＣを、ＭＦＰ機の蓄積画像を利用する情報処理装置として、画像処理システムを構成する。
また、この画像処理システムでは、ＭＦＰ機１００の蓄積画像を利用するために画像に施す画像処理機能を、ＭＦＰ機１００内で実現する代わりに、クライアントＰＣ２００側で実現することによって、このシステム上で蓄積画像を利用する処理機能の拡張を図る
本実施形態では、上記処理機能を実現する画像処理システムの基本的な形態について述べる。
【００２６】
図８は、画像処理装置としてのＭＦＰ機とクライアントＰＣよりなる本実施形態の画像処理システムの構成を概略的に示すブロック図である。
先ず、図１を参照して、システムを構成する画像処理装置（ＭＦＰ機）１００の各部の構成及び原稿をコピーする際の処理、即ち、原稿画像の読み取り、読み取り画像の蓄積、蓄積画像を用いたプリント出力、という過程で行なわれるコピー時の処理フローに沿い、その内容の概要を説明する。
ＭＦＰ機１００のスキャナユニット１１は、ユニット内の光学系スキャナ装置によって、原稿を読み取り、反射率空間のＲＧＢ３成分の画像データとして入力され、入力された画像データは、第１画像処理ユニット１２に転送される。
第１画像処理ユニット１２は、入力画像データに、画像特性を適正化するための各種の補正やユーザーの要求に従い処理・変換を施し、所定の形式の画像データに変換して、ＨＤＤ等の記憶媒体１３に蓄積する。
第２画像処理ユニット１５は、記憶媒体１３に蓄積された画像データを読み出して、ＲＧＢからＣＭＹＫの色空間へ画像データを変換し、プリント出力用のデータとして出力するときには、第３画像処理ユニット１７へ転送する。
第３画像処理ユニット１７は、第２画像処理ユニット１５から受け取った画像データに、プロッタの出力ダイナミックレンジに合わせた量子化を施し、プリンタγ処理、中間調処理を施した後、プロッタユニット１８へ転送する。
プロッタユニット１８は、電子写真式のプロッタの場合、第３画像処理ユニット１７から送られてくる画像データ出力を、レーザーによる書き込みを行うため、ＬＤ（レーザダイオード）駆動用データに変換し、次いでＬＤ書き込みによる潜像の形成、現像、転写、定着を経て、画像データが転写紙に出力される。
上記の処理過程を経て、ＭＦＰ機１００はコピー動作を実現する。なお、プロッタユニット１８から画像データが出力された後も、記憶媒体１３上に蓄積された画像データはそこに保存されており、この画像データをコピー動作以外に、後述するように、ネットワーク間で共有するデータとしてクライアントＰＣ２００からの利用を可能とする。
【００２７】
次に、本画像処理システム上で実現されるＭＦＰ機１００の蓄積画像に対する処理機能について説明する。
この処理機能は、ＭＦＰ機１００の蓄積画像の利用を図る画像に対する処理機能をＭＦＰ機１００内で実現する代わりに、クライアントＰＣ２００側で実現することによって、蓄積画像を利用する処理機能の拡張を図ることを可能にする。
このために、本画像処理システムでは、ＭＦＰ機１００に蓄積された画像をクライアントＰＣ２００から読み出して、ディスプレイ表示をする場合に、プロッタ（ＭＦＰ機１００のプロッタユニット１８）での出力イメージにし、又ディスプレイで画像を確認した後、この画像をＭＦＰカラー機のプロッタで出力させる場合も、ＰＣ側でプロッタに用いる印刷出力用データとしての処理を行う、という処理の過程を踏む。
この処理過程について、図８を参照して、より詳しく述べると、先ず、ユーザの指示に従い、ＭＦＰ機１００の第２画像処理ユニット１５は、記憶媒体１３に蓄積されている画像データを読み出し、ＲＧＢからＣＭＹＫの色空間へ画像データを変換し、ネットワークＩ／Ｆ１９，２９を介してクライアントＰＣ２００に転送する。この場合のユーザによる動作要求の指示は、クライアントＰＣ２００、若しくはＭＦＰ機１００の操作部（図示せず）から行われる。
【００２８】
ＭＦＰ機１００から転送されてくる画像データを受信するクライアントＰＣ２００は、受信した画像データをクライアントＰＣ内部の記憶媒体２３に蓄積する。
次に、クライアントＰＣ２００の記憶媒体２３に蓄積された画像データは、ディスプレイ２７ｄに表示させ、ユーザの確認を可能とする。この表示を行う場合に、記憶媒体２３から読み出した画像データは、アプリケーションソフト２５内の色変換処理ソフト２５ｃにて、ＭＦＰ機１００内部の色空間からディスプレイ２７ｄの色空間へ変換される。この色空間の変換は、ＭＦＰ機１００でスキャナ入力した原稿画像の色をディスプレイ２７ｄで適正な色で再現するために必要な処理である。この色変換を施した画像データを用いて、ディスプレイ２７ｄに表示された画像を見ることにより、ユーザは、要求した画像であることを確認することが可能となる。
また、クライアントＰＣ２００の記憶媒体２３に蓄積された画像データに対しプリント出力が要求された場合、クライアントＰＣ２００は、ＭＦＰ機１００のプロッタユニット１８に蓄積画像を転送する。その際、ＰＣ内の記憶媒体２３に蓄積した画像データを読み出し、読み出した画像データを、アプリケーションソフト２５内の画像処理変換処理ソフト２５ｐにて、ＭＦＰ機１００内に設けた第３画像処理ユニット１７で行うと同様の画像処理、即ち、プロッタの出力ダイナミックレンジに合わせた量子化を施し、プリンタγ処理、中間調処理を施し、処理後の画像データをネットトワーク経由でプロッタユニット１８へ転送する。
【００２９】
ここで、上記画像処理システムを構成するＭＦＰ機１００内の第１、第２及び第３画像処理ユニットについて、その実施例を示す。
図９は、第１画像処理ユニット１２の内部構成の１例を示す。
図９に示す第１画像処理ユニット１２では、スキャナユニット１１で読み取られたＲＧＢに色分解された画像信号に対して、空間フィルタ処理１２ｆが行われる。空間フィルタ処理１２ｆは、用途によって固定係数フィルタの場合もあれば、画像種に適応して係数を変化させる適応フィルタの場合もある。
図１０は、第２画像処理ユニット１５の内部構成の１例を示す。
図１０に示す第２画像処理ユニット１５では、記憶媒体１３に蓄積されたＲＧＢ空間の画像データを、色変換処理１５ｃにてＲＧＢからＣＭＹＫ空間の画像データへの色変換が行われる。ＲＧＢからＣＭＹＫ空間への変換は、ＬＵＴ（Look Up Table）を使っても行えるし、行列演算によるマスキング法によっても行える。
図１１は、第３画像処理ユニット１７の内部構成の１例を示す。
図１１に示す第３画像処理ユニット１７では、ＣＭＹＫ空間の画像データに対して、γ変換処理１７ｇにて、γ補正処理を、又中間調処理１７ｈにて、中間調処理が行われる。γ補正処理によって、プロッタ１８のＣＭＹＫ各版の濃度特性のばらつき、機器全体の経時的な濃度変動などの補正が行われる。また、中間調処理によって、プロッタ１８の出力ドットの階調数に合わせて量子化が行われる。この処理方法には、公知のディザ法や誤差拡散法を適用することが可能である。
【００３０】
上記した画像処理システムによって、ＭＦＰ機１００の記憶媒体１３に蓄積されている画像データを、ネットワークを介して接続されているクライアントＰＣ２００に読み出して、ディスプレイ２７ｄに表示させることができる。また、クライアントＰＣ２００にインストールされているアプリケーションソフト２５内の色変換機能にて，ＣＭＹＫ空間の画像データをＲＧＢ空間の画像データに変換してディスプレイ表示する。その際、プロッタでの出力イメージに一致させるように、予めＭＦＰ機１００からプロッタ１８の特性情報が知らされており、色変換を行う際の濃度調整に加味することで、ユーザがプロット出力イメージをディスプレイ上で確認することができる。
さらに、その画像データをネットワークを介してＭＦＰ機１００のプロッタユニット１８へ転送し、プリント出力させる際は、アプリケーションソフト２５の画像処理機能により、ＭＦＰ機１００内の第３画像処理ユニット１７と同様の処理を行い、画像データを転送する。
このように、クライアントＰＣ２００でのディスプレイ表示での画像確認をプロッタ出力イメージで行うことを可能とし、また、クライアントＰＣ２００側でプロッタに用いる印刷出力用データとしての処理を行うので、ＭＦＰ機１００側は、基本的なスキャナ動作とプロッタ動作以外の機能を具備しなくても、蓄積画像に対しクライアントＰＣ２００側からのユーザ設定を反映した印刷出力が可能になり、機能拡張が可能となる。
【００３１】
「実施形態５」
本実施形態は、上記「実施形態４」に示した画像処理システムにおいて、クライアントＰＣで行う画像データの色空間の変換をＰＣ側の利用に適合する空間として、最適化を図るものである。
上記「実施形態４」では、クライアントＰＣ２００にインストールされているアプリケーション２５内の色変換処理ソフト２５ｃの機能にて、ＭＦＰ機１００から転送され、記憶媒体２３に蓄積されたＣＭＹＫ空間の画像データを、ＲＧＢ空間の画像データに変換してディスプレイ表示する、とした。
本実施形態の一つは、この色変換処理ソフト２５ｃによる変換の際、単にＣＭＹＫからＲＧＢ空間へ画像データを変換するのではなく、標準色空間であるｓＲＧＢ対応のディスプレイ２７ｄを想定し、ＣＭＹＫからｓＲＧＢの色空間へ画像データを変換するものに特定することにより、最適化を図るものである。
また、もう一つは、ディスプレイ２７ｄが固有のＲＧＢ空間を持っていることを想定し、この色変換処理ソフト２５ｃによる変換の際、単にＣＭＹＫからＲＧＢ空間へ画像データを変換するのではなく、ディスプレイ固有のＲＧＢ空間へ画像データを変換する。
この場合は、クライアントＰＣ２００に接続されているディスプレイ２７ｄが、ディスプレイ毎に異なる特性をもつので、ＭＦＰ機１００内の色空間からディスプレイ２７ｄの色空間への色変換が行なわれる。ＭＦＰ機１００内の色空間も機器固有であり、ディスプレイ２７ｄの色空間も機器固有である。このため、両者の組み合わせが決まっている場合にのみ、色変換処理ソフト２５ｃで用いる固有の色変換パラメータが決定される。
【００３２】
「実施形態６」
本実施形態は、上記「実施形態４」に示した画像処理システムをベースに、クライアントＰＣに編集処理を行う機能を付加することにより、システムの機能拡張を図るようにした実施形態を示す。
図１２は、画像処理装置としてのＭＦＰ機とクライアントＰＣよりなる本実施形態の画像処理システムの構成を概略的に示すブロック図である。
図１２に示す画像処理システムの構成は、クライアントＰＣ２００にインストールされているアプリケーション２５内に編集処理ソフト２５ａを付加した以外、基本的に図８に示したシステムと変わりがないので、本実施形態が特徴とする編集機能に関する部分のみ、説明を行い、基本部分は、先の「実施形態４」の説明を参照することにして、ここでは、記載を省略する。
アプリケーション２５内の編集処理ソフト２５ａにより付加される編集機能の内容は、画像の消去、移動、マスクといった処理やその他に、ＣＭＹＫデータの各プレーンの色データを直接操作することにより色変換を行うことも可能である。
画像に対する編集処理が行なわれた記憶媒体２３上の画像データは、アプリケーション２５内の色変換処理ソフト２５ｃによってＲＧＢに変換されて、ディスプレイ２７ｄに表示される。このような構成をとることで、ユーザは、編集内容をディスプレイ２７ｄでリアルタイムに確認することができる。
このように、クライアントＰＣ２００のアプリケーション２５に編集処理ソフト２５ａを付加することによって、即ち、ＭＦＰ機１００の外部にあるＰＣにより、画像処理システムの機能拡張を図ることが可能になる。
【図面の簡単な説明】
【００３３】
【図１】画像処理装置（ＭＦＰ機）とクライアントＰＣよりなる実施形態１の画像処理システムの構成を概略的に示す。
【図２】図１における第１画像処理ユニットの内部構成の１例を示す。
【図３】図１における第２画像処理ユニットの内部構成の１例を示す。
【図４】図１における第３画像処理ユニットの内部構成の１例を示す。
【図５】画像処理装置（ＭＦＰ機）とクライアントＰＣよりなる実施形態２の画像処理システムの構成を概略的に示す。
【図６】ディスプレイに表示した画像データＤｉと、合成する画像データＳｉの関係を示す。
【図７】図５における第３画像処理ユニットの内部構成の１例を示す。
【図８】画像処理装置（ＭＦＰ機）とクライアントＰＣよりなる実施形態４の画像処理システムの構成を概略的に示す。
【図９】図８における第１画像処理ユニットの内部構成の１例を示す。
【図１０】図８における第２画像処理ユニットの内部構成の１例を示す。
【図１１】図８における第３画像処理ユニットの内部構成の１例を示す。
【図１２】画像処理装置（ＭＦＰ機）とクライアントＰＣよりなる実施形態６の画像処理システムの構成を概略的に示す。
【符号の説明】
【００３４】
１１・・スキャナユニット、        １３，２３・・記録媒体、
１４ａ，１４ａ′・・画像編集処理、      １８・・プロッタユニット、
１９，２９・・ネットワークインターフェース、
２５ｃ・・色変換処理ソフト、          ２５ａ・・編集処理ソフト、
２５ｐ・・画像処理ソフト、            ２７ｄ・・ディスプレイ、
１００・・画像処理装置（ＭＦＰ機）、  ２００・・クライアントＰＣ。
【図１】
2006087006.tif 000003
【図２】
2006087006.tif 000004
【図３】
2006087006.tif 000005
【図４】
2006087006.tif 000006
【図５】
2006087006.tif 000007
【図６】
2006087006.tif 000008
【図７】
2006087006.tif 000009
【図８】
2006087006.tif 000010
【図９】
2006087006.tif 000011
【図１０】
2006087006.tif 000012
【図１１】
2006087006.tif 000013
【図１２】
2006087006.tif 000014